(57)【要約】【課題】各運転モードに応じて空気調和機本体を最適位置に移動させることで、快適性を向上させた空気調和機を提供すること。【解決手段】空気調和機本体１を回動させることで、冷房運転時の吹出し方向と暖房運転時の吹出し方向とを変更する構成としたことを特徴とする空気調和機で、冷風は略水平方向に、温風は略下方向に確実に送風できるため、運転モードに適した風向制御を実現でき、快適性を向上させた空気調和機１を提供できるものである。つまり、空気調和機本体１の吹出口２ａの位置により空気調和機の運転モードに適した風向制御を実現するものである。【選択図】図１
2007278602.tif 000002
【特許請求の範囲】
【請求項１】
空気調和機本体を回動させることで、冷房運転時の吹出し方向と暖房運転時の吹出し方向とを変更する構成としたことを特徴とする空気調和機。
【請求項２】
空気調和機本体を壁面に固定する据付板に、前記空気調和機本体の両側面に対向する壁面を形成するとともに、前記空気調和機本体は、前記空気調和機本体の両側面に対向するように形成した壁面に支持されながら回動する構成としたことを特徴とする請求項１に記載の空気調和機。
【発明の詳細な説明】
【技術分野】
【０００１】
本発明は、室内の冷暖房を行う空気調和機に関する。
【背景技術】
【０００２】
従来、上下風向制御板を上羽根と下羽根で構成し、上羽根と下羽根とをともに下方向に向けるとともに、上羽根を下羽根との平行位置より更に下方向に向け、下羽根を上羽根との平行位置より更に上方向に向けるようにした空気調和機がある（例えば、特許文献１参照）。
【０００３】
しかし、この空気調和機では、縮流効果により温風の風速を増し、速やかに床面付近の温度を上昇させることはできるが、冷房時には、冷風を部屋の遠方まで運びにくく、室内の居住者に冷風が直接あたって肌寒さを感じさせるという課題を有していた。
【０００４】
そこで本発明者らは、冷房時には気流感のない、暖房時には頭寒足熱の快適な住環境を創り出す空気調和機の風向制御装置を既に提案している（例えば、特許文献２参照）。
【０００５】
上記特許文献２で提案した空気調和機は、空気調和機の吹き出し口に、変動可能な腕部を介して上下方向の風向を制御する風向変更羽根を具備したものである。そしてこの構成によれば、変化に富んだ気流を生成することができる。
【特許文献１】特開平５−６０３６５号公報
【特許文献２】特開２００２−３１４００号公報
【発明の開示】
【発明が解決しようとする課題】
【０００６】
しかしながら、上記従来の空気調和機では、運転モードに応じた風向変更羽根の最適位置を提案するものでなく、風量の低下等により快適性を損なう可能性がある。
【０００７】
上記課題を解決するために本発明は、各運転モードに応じて空気調和機本体を最適位置に移動させることで、快適性を向上させた空気調和機を提供することを目的とする。
【課題を解決するための手段】
【０００８】
上記課題を解決するために本発明の空気調和機は、空気調和機本体を回動させることで、冷房運転時の吹出し方向と暖房運転時の吹出し方向とを変更する構成としたことを特徴とするもので、冷房運転モードで、冷風を部屋の水平方向または略上方へ運ぶことができ、従って部屋の下方に溜まりやすい冷たい空気が、部屋の水平方向あるいは略上方向へ送られるため、使用者に冷風感を与えることなく、効果的に冷房運転ができ、部屋を効率的に冷やすことができる。
【０００９】
同時に、暖房運転モードで、温風を部屋の水平方向または略下方へ運ぶことができ、従って部屋の上方に溜まりやすい暖かい空気が、部屋の水平方向あるいは略下方向へ送られるため、使用者に冷風感を与えることなく、効果的に暖房運転ができ、部屋を効率的に暖めることができる。
【発明の効果】
【００１０】
本発明によれば、各運転モードに応じて空気調和機本体を最適位置に移動させることで、快適性を向上させた空気調和機を提供できる。
【発明を実施するための最良の形態】
【００１１】
第１の発明は、空気調和機本体を回動させることで、冷房運転時の吹出し方向と暖房運転時の吹出し方向とを変更する構成としたことを特徴とするもので、冷房運転モードで、冷風を部屋の水平方向または略上方へ運ぶことができ、従って部屋の下方に溜まりやすい冷たい空気が、部屋の水平方向あるいは略上方向へ送られるため、使用者に冷風感を与えることなく、効果的に冷房運転ができ、部屋を効率的に冷やすことができる。
【００１２】
同時に、暖房運転モードで、温風を部屋の水平方向または略下方へ運ぶことができ、従って部屋の上方に溜まりやすい暖かい空気が、部屋の水平方向あるいは略下方向へ送られるため、使用者に冷風感を与えることなく、効果的に暖房運転ができ、部屋を効率的に暖めることができる。
【００１３】
第２の発明は、第１の発明の、空気調和機本体を壁面に固定する据付板に、前記空気調和機本体の両側面に対向する壁面を形成するとともに、前記空気調和機本体は、前記空気調和機本体の両側面に対向するように形成した壁面に支持されながら回動する構成としたことを特徴とするもので、空気調和機本体を据付板で強固に支えることにより、安定した回動駆動を行うことができる。
【００１４】
以下、本発明の実施の形態について、図面を参照しながら説明する。なお、この実施の形態によって本発明が限定されるものではない。
【００１５】
（実施の形態１）
以下本発明の実施の形態について図面を参照して説明する。
【００１６】
図１は、本発明の一実施の形態による空気調和機の右側面図、図２は同空気調和機の正面図、図３、図４は同空気調和機の横断面図である。
【００１７】
空気調和機１は、その本体内部に熱交換器４と、送風ファン３と、送風ケーシング２と、接続配管８を有している。送風ケーシング２は、送風ファン３の下流側の通風路を形成している。空気調和機１は、その本体の前面と上面に吸込口７を形成し、その本体の前面下部から下面にかけて吹出口２ａを形成している。
【００１８】
また、空気調和機本体１は、上下方向に回動可能な構成で、吹出し口２ａの位置が上下方向に変更でき、吹出風の吹出し方向が上下方向に吹き分け可能となっている。
【００１９】
さらに、空気調和機本体１を壁面に固定するための据付板６に、前記空気調和機本体１の両側面１ａに対向するように、前記据付板６の両側に壁面Ａ６ａを構成し、さらに前記壁面Ａ６ａに、前記空気調和機本体１の両側面１ａに形成した回動軸を支える支点部材５を設けことで、空気調和機本体１を据付板６で強固に支えることにより、安定した回動駆動を行うことができる。
【００２０】
さらに、空気調和機本体１の天面１ｂ及び底面１ｃを囲うように、前記据付板６の上部に壁面Ｂ６ｂ及び壁面Ｃ６ｃを構成したもので、空気調和機本体１が回動駆動した際に発生する天面側の本体背面と屋内壁面９との隙間及び底面側の本体背面と屋内壁面９との隙間を塞ぐことができ、見栄えの向上が図れる。
【００２１】
なお、図示はしないが、空気調和機１には、左右方向風向変更羽根や熱交換温度検出器を有するとともに、圧縮機、膨張機、及び室外側熱交換器などを備えた室外ユニットを備えている。
【００２２】
以下にこの動作・作用を説明する。
【００２３】
図１は図２のＢ−Ｂ断面図で、図１において、空気調和機本体１は、据付板６に取り付けた支点５の支点中心５ａを中心として矢印Ａの方向に上下移動し、運転モードに応じて、前記空気調和機本体１の吹出口２ａが、略水平吹出し位置又は略下吹出し位置に移動するよう制御されている。
【００２４】
図３は、本実施の形態における空気調和機本体１の冷房運転状態を示す横断面図である。まず、冷房運転モードに設定すると、空気調和機本体１が上方向へ回動移動し、前記空気調和機本体１の吹出口２ａが、略水平吹出し位置の設定になる。本実施の形態における略水平吹出しとは、部屋の略水平方向に吹出し空気を送風するもので、吹出し空気を部屋の遠方まで運ぶ吹出しであり、主に冷風吹出しに利用する。
【００２５】
図４は、本実施の形態における空気調和機本体１の暖房運転状態を示す横断面図である。まず、暖房運転モードに設定すると、空気調和機本体１が下方向へ回動移動し、略下吹出し位置の設定になる。本実施の形態における略下方吹出とは、吹出空気を床面方向に運ぶ吹出であり、主に温風吹出（暖房運転モード）に利用する。
【００２６】
以上、本実施の形態によれば、冷風は略水平方向に、温風は略下方向に確実に送風できるため、運転モードに適した風向制御を実現でき、快適性を向上させた空気調和機を提供できるものである。つまり、空気調和機本体１の吹出口２ａの位置により空気調和機の運転モードに適した風向制御を実現するものである。
【産業上の利用可能性】
【００２７】
本発明の空気調和機は、室内の冷暖房の他、除湿や除塵機能を有する空気清浄装置にも適用できる。
【図面の簡単な説明】
【００２８】
【図１】本発明の実施の形態１における空気調和機の右側面図
【図２】同空気調和機の正面図
【図３】同空気調和機の水平吹出状態を示す横断面図
【図４】同空気調和機の下方吹出状態を示す横断面図
【符号の説明】
【００２９】
１  空気調和機本体
１ａ  両側面
１ｂ  天面
１ｃ  底面
２  送風ケーシング
２ａ  吹出し口
３  送風ファン
４  熱交換器
５  支点部材
５ａ  支点中心
６  据付板
６ａ  壁面Ａ
６ｂ  壁面Ｂ
６ｃ  壁面Ｃ
９  空気調和機本体
７  吸込口
８  配管
９  屋内壁面
【図１】
2007278602.tif 000003
【図２】
2007278602.tif 000004
【図３】
2007278602.tif 000005
【図４】
2007278602.tif 000006